(57)【要約】【課題】  記録、読取の動作時の振動が互いに伝わらないようにして、振動や振動音を少なくする。【解決手段】  記録系の筐体と読取系の筐体を別体にし、設置面にそれぞれ支持されるようにする。【選択図】  図１
2006239996.tif 000002
【特許請求の範囲】
【請求項１】
装置下部に配置されている記録媒体に記録を行う記録手段と、前記記録媒体を搬送する搬送手段と、装置上部に配置される原稿を読み取る読取手段とを有する画像読取記録装置に於いて、
前記記録手段を構成するユニットと前記搬送手段を構成するユニットが装置の第一のフレームに配置され、前記読取手段を構成するユニットが第二のフレームに配置されており、
装置設置時には第一フレームが装置設置面への設置手段を有し、
第二フレームが第一フレームに対して平面方向に位置決めされ、垂直方向には固定されず、第二フレームも設置面への設置手段を有すること
を特徴とする画像読取記録装置。
【請求項２】
上記平面方向に位置決めする手段が上記第二フレームの設置面への設置手段に設けられていること
を特徴とする請求項１に記載の画像読取記録装置。
【請求項３】
上記平面方向に位置決めする手段が上記第二フレームの設置面への設置手段とは別に設けられていること
を特徴とする請求項１に記載の画像読取記録装置。
【請求項４】
装置非設置時には第一フレームに対して第二フレームが平面方向に位置決めされ、垂直方向には略位置決めされること
を特徴とする請求項１から３に記載の画像読取記録装置。
【請求項５】
上記垂直方向の略位置決め手段が第二フレームの設置手段に設けられていること
を特徴とする請求項４に記載の画像読取記録装置。
【請求項６】
上記垂直方向に略位置決めする手段が第一フレームと第二フレームの抜け止め手段を兼ねていること
を特徴とする請求項５に記載の画像読取記録装置。
【請求項７】
上記垂直方向に略位置決めする手段のガタ量が第一フレームと第二フレームの装置外観面の合わせ量より小さいこと
を特徴とする請求項６に記載の画像読取記録装置。
【請求項８】
上記記録手段はインクジェット記録方式であること
を特徴とする請求項１から７に記載の画像読取記録装置。
【請求項９】
上記読取手段はフラットベット方式であること
を特徴とする請求項１から８に記載の画像読取記録装置。
【発明の詳細な説明】
【技術分野】
【０００１】
本発明は画像読取記録装置に関する物である。
【背景技術】
【０００２】
従来例を複写機の概略断面図である図５を用いて説明する。
【０００３】
本図において、まず記録時の動作についての概略説明を行う。本従来例では被記録媒体（以下記録紙と称する）として定形のカット紙を用いており、複数枚重ねてオートシートフィーダー１に収納される。オートシートフィーダー１は不図示のスライダによって記録紙のサイズに合わせて記録紙の側面をガイドできるように構成されている。また収納性を良くする為に記録紙トレイ２を設けてある。
【０００４】
まずオートシートフィーダー１に収納積載された記録紙は、不図示の給紙ローラおよび不図示の分離爪によって１枚だけ分離され記録部まで搬送される。
【０００５】
本従来例ではインクジェット記録方式を行っており、不図示の駆動源であるステッピングモータによって記録紙主走査方向にガイドシャフト１２にガイドされ往復動作する記録ヘッド３によって記録が行なわれ、記録ヘッド３の下流に位置し印字がなされた記録紙を装置の下流に搬送する不図示の排紙ローラ対によって搬送された記録紙は第一フレーム４に設けられた記録紙排紙トレイ５上に排出される。
【０００６】
次に原稿読取動作時の概略動作説明を行う。
【０００７】
図５の従来例ではいわゆるフラットベット方式の読取系を採用しており、原稿はプラテンガラス６上に設置される。次に使用者によって、不図示の読取動作開始のためのボタンを押下されると駆動源である不図示のステッピングモータにより原稿読取デバイスであるコンタクトセンサー７がガイドシャフト８にガイドされながら移動しつつ原稿の画像データを読み取る。
【０００８】
上記従来例では記録系のユニットは第一フレーム４に固定されており、読取系ユニットは第一フレーム４の上部に位置する第二フレーム９に固定されている。そしてこれらのフレームは位置決めボス１０ａ、１０ｂで装置設置面方向に位置決めされる。その状態でビス１１ａ、１１ｂ、１１ｃと更にもう一つの不図示のビスにより装置高さ方向にも固定される。上記方法により第一フレーム４上に読取系ユニットの第二フレーム９が締結される。
【０００９】
又、従来例としては、例えば特許文献１と特許文献２をあげることが出来る。
【特許文献１】特開２００３−１７２９７７号公報
【特許文献２】特開平９−２６１３９３号公報
【発明の開示】
【発明が解決しようとする課題】
【００１０】
装置の性能向上として読取、記録速度の向上が行われてきた結果、各動作の駆動源としてのモータによる振動が大きくなってきた。また読取、記録解像度の向上も合わせて成し遂げられてきた。
【００１１】
上述した従来例では記録系が固定されている第一フレーム４に読取系の固定されている第二フレーム９が締結されているため記録ヘッド３の往復運動が第一フレーム４と第二フレーム９を通じてコンタクトセンサー７の動作に、コンタクトセンサー７の往復運動が第二フレーム９と第一フレーム４を通じて記録ヘッド３に伝達される。
【００１２】
その結果、読取、記録解像度が高くなると装置の振動によって読取、記録画像の画質が劣化することがある。また読取、記録の各動作が互いに相手のフレームを振動させ振動音を発生させることもあった。
【００１３】
本発明は上記問題点に鑑みてなされたもので、記録系の振動が読取系に影響しないように、読取系の振動が記録系に影響しないように構成された画像読取記録装置を提供することを目的とする。
【課題を解決するための手段】
【００１４】
上記目的を達成するために本発明は以下のような構成を備える。
【００１５】
本発明に係わる画像読取記録装置の第１の構成は、装置下部に配置されている記録媒体に記録を行う記録手段と、前記記録媒体を搬送する搬送手段と、装置上部に配置される原稿を読み取る読取手段とを有する画像読取記録装置に於いて、前記記録手段を構成するユニットと前記搬送手段を構成するユニットが装置の第一のフレームに配置され、前記読取手段を構成するユニットが第二のフレームに配置されており、装置設置時には第一フレームが装置設置面への設置手段を有し、第二フレームが第一フレームに対して平面方向に位置決めされ、垂直方向には固定されず、第二フレームも設置面への設置手段を有することを特徴とする。
【００１６】
上記構成において第一フレームと第二フレームが別個に設置面への設置手段を有する構成であるため、各ユニットの振動が他のユニットに伝達されにくい画像読取記録装置が提供できる。
【００１７】
本発明に係わる画像読取記録装置の第２の構成は、上記平面方向に位置決めする手段が上記第二フレームの設置面への設置手段に設けられていることを特徴とする。
【００１８】
上記構成において、平面方向の位置決め手段と第二フレームの設置手段が兼ねられているため、構造のシンプルな画像読取記録装置が提供できる。
【００１９】
本発明に係わる画像読取記録装置の第３の構成は、上記平面方向に位置決めする手段が上記第二フレームの設置面への設置手段とは別に設けられていることを特徴とする。
【００２０】
上記構成において、平面方向の位置決め手段と第二フレームの設置手段が別のため、平面方向の位置決めのしやすい画像読取記録装置が提供できる。
【００２１】
本発明に係わる画像読取記録装置の第４の構成は、装置非設置時には第一フレームに対して第二フレームが平面方向に位置決めされ、垂直方向には略位置決めされることを特徴とする。
【００２２】
上記構成において、装置非設置時には垂直方向に自由度のある画像読取記録装置が提供できる。
【００２３】
本発明に係わる画像読取記録装置の第５の構成は、上記垂直方向の略位置決め手段が第二フレームの設置手段に設けられていることを特徴とする。
【００２４】
上記構成において、垂直方向の略位置決め手段と第二フレームの設置手段が兼ねられているため、構造のシンプルな画像読取記録装置が提供できる。
【００２５】
本発明に係わる画像読取記録装置の第６の構成は、上記垂直方向に略位置決めする手段が第一フレームと第二フレームの抜け止め手段を兼ねていることを特徴とする。
【００２６】
上記構成において、垂直方向に略位置決めする手段が抜け止め手段を兼ねているため、構造のシンプルな画像読取記録装置が提供できる。
【００２７】
本発明に係わる画像読取記録装置の第７の構成は、上記垂直方向に略位置決めする手段のガタ量が第一フレームと第二フレームの装置外観面の合わせ量より小さいことを特徴とする。
【００２８】
上記構成において、略位置決め手段のガタ量が装置外観面の合わせ量より小さいため装置外観を損ねることの無い画像読取記録装置が提供できる。
【００２９】
本発明に係わる画像読取記録装置の第８の構成は、記録手段がインクジェット記録方式であることを特徴とする。
【００３０】
上記構成において、インクジェット記録ユニットの振動が読取ユニットに伝達されにくい画像読取記録装置が提供できる。
【００３１】
本発明に係わる画像読取記録装置の第９の構成は、読取手段がフラットベット方式であることを特徴とする。
【００３２】
上記構成において、フラットベット読取ユニットの振動が記録ユニットに伝達されにくい画像読取記録装置が提供できる。
【発明の効果】
【００３３】
以上説明したように本発明によれば、記録系の固定されているフレームと読取系の固定されているフレームとを一体感を持ったまま、別体構造とし個別に設置面に設置することで、記録動作、読取動作による振動の伝わりを減少させることが出来るので装置全体として、振動や振動音が少ない装置を提供できる。
【発明を実施するための最良の形態】
【００３４】
以下、本発明の最も特徴となる装置機構部の配置レイアウトとなっている実施例を図面を参照しながら詳細に説明する。
【００３５】
図面１は本実施例の画像読取記録装置の外観斜視図である。
【００３６】
本実施例では第一フレーム４の上に読取系の第二フレーム９があり、読取系の第二フレーム９にフラットベット型の読取系１３が搭載されている。図より明らかなように第一、第二フレーム４、９は外観上一体感のある構造となっている。
【００３７】
図２は本発明を適用した画像読取記録装置を示す概略断面図であり、本実施例での記録時の動作、原稿読取動作時の動作は従来例と同様である。
【００３８】
本実施例では従来例と同じように記録系のユニットは第一フレーム４に固定されており、読取系ユニットは第一フレーム４の上部に位置する第二フレーム９に固定されている。第二フレーム９は第一フレーム４に対して平面方向には第一フレーム４に設けられているボス径をはめあい公差にて管理された位置決めボス１０ａ、１０ｂに第二フレーム９に設けられている穴径を前記１０ａ、１０ｂと勘合関係になるようにはめあい公差にて管理された位置決め穴１９ａ、１９ｂをはめあうことにより位置決めされている。
【００３９】
図３は図２の部分拡大図であり、本図を用いて第一フレーム４と第二フレーム９の垂直方向の関係について説明する。
【００４０】
第一フレーム４には底面より設置面に接するように出っ張り部１７が設けられ、装置の垂直方向の位置が決まる。第二フレーム９からは第一フレーム４に設けられた穴部１８を貫通して設置面に接する面１４を有する接地ボス１５が設置面に接することにより、第二フレーム９の垂直方向の位置が決まる。
【００４１】
つまり、第二フレーム９は第一フレーム４に対して水平方向には位置決めされるものの、垂直方向には固定されておらず、第一フレーム４と第二フレーム９は個別に設置面に設置されている状態にあり、第一フレーム４と第二フレーム９の振動は従来例に比べ、互いに伝わる量が少なくなる。
【００４２】
本実施例では、水平方向の位置決め手段を位置決めボス１０ａ、１０ｂと位置決め穴１９ａ、１９ｂを勘合することで行っているが、第一フレーム４の貫通穴１８と第二フレーム９の設置ボス１５で行っても良い。
【００４３】
更には本実施例では設置ボス１５にフランジ１６を設けてあり、第二フレーム９を持ち上げた時にはフランジ１６が第一フレーム４の貫通穴１８を形成している面２０と干渉することにより、第二フレーム９の第一フレーム４からの抜け止めを兼ねている。
【００４４】
また上記フランジ１６が第一フレーム４の貫通穴形成面２０に干渉するまでの移動量Ｌにより第二フレーム９は第一フレーム４に対して垂直方向に略位置決めされていることになる。
【００４５】
更には本実施例では図４に示すように、第一フレーム４と第二フレーム９の装置外観面での合わせ量ｌを上記第二フレーム９の移動可能量Ｌに対して
ｌ＞Ｌ
の関係としているためフランジ１６が貫通穴形成面２０に干渉する位置まで持ち上げられたとしても合わせ部分に隙間が出来ることは無く、装置の一体感は保たれたままであることが出来る。
【図面の簡単な説明】
【００４６】
【図１】本発明の画像読取記録装置の外観斜視図である。
【図２】本発明の画像読取記録装置の概略断面図である。
【図３】図２の部分拡大図である。
【図４】図３においてフレーム９を持ち上げた時の図である。
【図５】従来例の画像読取記録装置の概略断面図である。
【符号の説明】
【００４７】
３  記録ヘッド
４  第一フレーム
７  コンタクトセンサー
９  第二フレーム
１０  位置決めボス
１１  固定ビス
１５  接地ボス
１６  フランジ
【図１】
2006239996.tif 000003
【図２】
2006239996.tif 000004
【図３】
2006239996.tif 000005
【図４】
2006239996.tif 000006
【図５】
2006239996.tif 000007